【事件の表示】
　特許第５９４０８５４号発明「電極積層装置および電極積層方法」の特許異議申立事件について、次のとおり決定する。
【結　論】
　特許第５９４０８５４号の請求項１ないし１９に係る特許を維持する。
【理　由】
第１．手続の経緯
　特許第５９４０８５４号の請求項１〜１９に係る特許についての出願は、平成２４年３月２３日（国内優先権主張　平成２３年４月７日）に特許出願され、平成２８年５月２７日にその特許権の設定登録がされ、その後、その特許に対し、特許異議申立人　平賀博（以下、「申立人」という）により特許異議の申立てがされたものである。 
　
第２．本件発明
　特許第５９４０８５４号の請求項１〜１９に係る発明（以下、それぞれ、「本件発明１」、「本件発明２」、・・・、「本件発明１９」という。また、これらをまとめて「本件発明」ということがある。）は、それぞれ、その特許請求の範囲の請求項１〜１９に記載された事項により特定される次のとおりのものである。 
　
「【請求項１】
　袋状に形成されたセパレータ内に第１電極が配置された袋詰電極と前記第１電極とは異なる極性の第２電極とを積層ステージ上で積層する電極積層装置であって、
　電極供給テーブルに載置された前記袋詰電極の前記第１電極の位置を検出する検出手段と、
　検出した前記第１電極の位置に基づいて、前記電極供給テーブルに載置された前記袋詰電極がピックアップされる時点での前記第１電極の位置が所定の位置となるように前記電極供給テーブルの位置を調整して、前記セパレータの位置とは無関係に前記第１電極の位置を調整する位置調整手段と、
　前記位置調整手段によって位置が調整された前記電極供給テーブルから前記袋詰電極をピックアップして、前記積層ステージに載置された第２電極に積層する積層手段と、
　を有する電極積層装置。
【請求項２】
　前記位置調整手段は、検出した前記第１電極の位置および前記第２電極との積層に求められる基準位置に基づいて、前記電極供給テーブルの位置を調整する請求項１に記載の電極積層装置。
【請求項３】
　前記位置調整手段は、前記電極供給テーブルを平面方向に移動および回転の少なくとも一方が可能なステージである請求項２に記載の電極積層装置。
【請求項４】
　前記検出手段は、
　前記セパレータを透過し前記第１電極を透過しない第１光を、前記袋詰電極に投射する第１投光手段と、
　前記セパレータを透過した前記第１光を受光する第１受光手段と、を含み、
　前記第１受光手段による受光結果に基づいて、前記第１電極の位置を検出する請求項１〜３のいずれか一項に記載の電極積層装置。
【請求項５】
　前記第１投光手段によって投光される前記第１光は、前記セパレータの透過率が５０％以上となる波長の光である請求項４に記載の電極積層装置。
【請求項６】
　前記セパレータはセラミックセパレータであり、前記第１光は近赤外光である請求項４または請求項５に記載の電極積層装置。
【請求項７】
　前記検出手段は、前記第１電極の辺を検出し、当該辺の位置に基づいて、前記第１電極の位置を検出する請求項１〜６のいずれか一項に記載の電極積層装置。
【請求項８】
　前記検出手段は、
　前記セパレータに反射する第２光を投射する第２投光手段と、
　前記セパレータに反射した前記第２光を受光する第２受光手段と、
　前記第１受光手段および前記第２受光手段による受光結果に基づいて、前記セパレータおよび前記第１電極の位置を検出し、前記セパレータに対する前記第１電極の相対位置を検出する検出手段と、
　を有する請求項４に記載の電極積層装置。
【請求項９】
　前記検出手段は、前記セパレータに対する前記第１電極の相対位置の良否を判断する請求項８に記載の電極積層装置。
【請求項１０】
　前記セパレータはセラミックセパレータであり、前記第１光は近赤外光である請求項８または請求項９に記載の電極積層装置。
【請求項１１】
　前記第１投光手段および前記第２投光手段は、前記第１電極を介して、相互に反対側に配置されており、
　前記第１受光手段および前記第２受光手段は、共通の受光装置により実現され、
　前記第１電極の位置は、前記第１電極によって遮断された前記第１光の影に基づいて検出される請求項８〜１０のいずれか一項に記載の電極積層装置。
【請求項１２】
　前記検出手段は、前記セパレータおよび前記第１電極の辺を検出し、それぞれの辺の位置に基づいて、前記セパレータに対する前記第１電極の位置を検出する請求項８〜１１のいずれか一項に記載の電極積層装置。
【請求項１３】
　前記検出手段は、前記第２受光手段による受光結果に基づいて、袋状の前記セパレータにめくれが発生しているかを検査する請求項８〜１２のいずれか一項に記載の電極積層装置。
【請求項１４】
　袋状の前記セパレータは、２枚のセパレータの端辺を接合部により接合して形成されており、
　前記検出手段は、前記第１受光手段による受光結果に基づいて、前記接合部を検出し、前記接合部に対する前記第１電極の相対位置に基づいて、電極位置の良否を判断する請求項８〜１３のいずれか一項に記載の電極積層装置。
【請求項１５】
　前記第１投光手段によって投光される前記第１光は、前記セパレータの透過率が５０％以上となる波長の光である請求項８〜１４のいずれか一項に記載の電極積層装置。
【請求項１６】
　袋状に形成されたセパレータ内に第１電極が配置された袋詰電極と前記第１電極とは異なる極性の第２電極とを積層ステージ上で積層する電極積層方法であって、
　電極供給テーブルに載置された前記袋詰電極の前記第１電極の位置を検出する検出工程と、
　検出した前記第１電極の位置に基づいて、前記電極供給テーブルに載置された前記袋詰電極がピックアップされる時点での前記第１電極の位置が所定の位置となるように前記電極供給テーブルの位置を調整して、前記セパレータの位置とは無関係に前記第１電極の位置を調整する位置調整工程と、
　前記位置調整工程によって位置が調整された前記電極供給テーブルから前記袋詰電極をピックアップして、前記積層ステージに載置された第２電極に積層する積層工程と、
　を有する電極積層方法。
【請求項１７】
　前記位置調整工程は、検出した前記第１電極の位置および前記第２電極との積層に求められる基準位置に基づいて、前記電極供給テーブルの位置を調整する請求項１６に記載の電極積層方法。
【請求項１８】
　前記検出工程は、
　前記セパレータを透過し前記第１電極を透過しない第１光を、前記袋詰電極に投射する第１投光工程と、
　前記セパレータを透過した前記第１光を受光する第１受光工程と、
　前記第１受光工程による受光結果に基づいて、前記第１電極の位置を検出する工程と、
　を含む請求項１６または請求項１７に記載の電極積層方法。
【請求項１９】
　前記検出工程は、
　前記セパレータに反射する第２光を投射する第２投光工程と、
　前記セパレータに反射した前記第２光を受光する第２受光工程と、
　前記第１受光工程および前記第２受光工程における受光結果に基づいて、前記セパレータおよび前記第１電極の位置を検出し、前記セパレータに対する前記第１電極の相対位置を検出する請求項１８に記載の電極積層方法。」
　
第３．申立理由の概要
　申立人は、証拠として甲第１〜６号証を提出し、本件発明１〜１９は、本件特許に係る出願の優先権主張の日前に頒布された刊行物である甲第１号証に記載された発明及び甲第２〜６号証に記載された技術に基づいて当業者が容易に発明をすることができたものであり、その特許は、特許法第２９条第２項の規定に違反してされたものであるから、同法第１１３条第２号の規定により取り消すべきものである旨主張している。 
　
［証拠方法］
甲第１号証：特開平４−１０１３６６号公報
甲第２号証：特開２０１０−２３２１４５号公報
甲第３号証：特開２００３−２７２５９５号公報
甲第４号証：特開２０１０−２５７８６１号公報
甲第５号証：特開２００３−３４４０２０号公報
甲第６号証：特開２０００−１８２６１０号公報
　
第４．甲号証の記載
１．甲第１号証
　甲第１号証には、以下の事項が記載されている（なお、下線は当合議体が付加した）。
　
（１）「産業上の利用分野
　本発明は、陽極板・陰極板の一方をセパレータで包装された極板を多数枚積み重ねて極板群にする
蓄電池極板群の製造装置
　
（２）「作用
　ホルダー内で陽極板と陰極板を交互に積み重ねて極板群を形成するため、極板群が整列したものとなる。」（第２頁右上欄第１４行−第１７行）
　
（３）「実施例
　実施例について図面を参照して説明する。
　
第１図（ａ），（ｂ）は、それぞれセパレータ１で包装された陽極板２と陰極板３で、第１図（ｃ）は、それらを交互に積み重ねた極板群４である。
治具６を一定タクトで駆動させる第１のコンベア７
　次に本発明装置により極板群を製造する手順を説明する。
　第２図において、
第１のコンベア７に設けた治具６に収納された陰極板３を極板吸着装置９で治具から取り出し、揺動装置１０で９０°回転させて、第３のコンベア１２のホルダー１１内に陰極板３を挿入する。その際、揺動装置１０に取り付けた他方の極板吸着装置９’は第２のコンベア７’に設けた治具６’に収納された陽極板２を吸着し、取り出す。次いで、揺動装置１０を逆方向に９０°回転させ、陽極板２をホルダー内に挿入する。向、この９０°回転の間に第２のコンベア７’を一定タクト移動させることにより、次の治具６’を吸着位置に位置させておく。以上の動作を予め設定した回数繰り返し、所定の枚数の極板群４を構成する
　
（４）「
　　　　　　　　　　　　　　　　　　　　　　　　　　　　　　　　」
　
（５）「
　　　　　　　　　　　　　　　　　　　　　　　　　　　　　　　　」
　
　以上、特に下線部の記載から、甲第１号証には、次の発明（以下「甲１発明」という）が記載されているものと認められる。
　
［甲１発明］
「一定タクトで駆動させる第１のコンベア７に設けた治具６に収納された陰極板３を極板吸着装置９で治具６から取り出し、その際、揺動装置１０で９０°回転させて、第３のコンベア１２のホルダー１１内に陰極板３を挿入し、揺動装置１０に取り付けた他方の極板吸着装置９’は、セパレータ１で包装され第２のコンベア７’に設けた治具６’に収納された陽極板２を吸着し、取り出し、次いで、揺動装置１０を逆方向に９０°回転させ、陽極板２をホルダー１１内に挿入し、この９０°回転の間に第２のコンベア７’を一定タクト移動させることにより、次の治具６’を吸着位置に位置させておき、以上の動作を予め設定した回数繰り返し、陽極板２と陰極板３を交互に積み重ねた極板群４を構成する蓄電池極板群の製造装置。」
　
２．甲第２号証
　甲第２号証には、以下の事項が記載されている。
　
「【００４０】
（実施例２）
　前記本発明電池Ａ１において、積層電極体１０を作製する工程で、正極板１および負極板２の貫通部３１、３２の位置を画像処理装置により確認しながら、負極板２、袋状セパレータ３およびポリプロピレンシート３ｂを位置合せして積層する以外は全て同様にして、積層式電池を作製した。」
　
３．甲第３号証
　甲第３号証には、以下の事項が記載されている。
　
「【００９０】袋状電極の作成
今回は負極を袋状にした。大きさ６５×３０mm（端子部は除く）の電極を用い、高分子からなるセパレータ（東燃（株）Ｅ１６Ｍ  ＭＳ）を所定の寸法に切断し、その上に負極電極をのせ、更に所定の寸法に切断されたセパレータ（東燃（株）Ｅ１６ＭＭＳ）を乗せ、図１の装置を用い、以下に示す手順で袋状電極を作成した。なお、セパレータはＥ１６ＭＭＳに限定されるものではなく、市販のものを適宜選択して使用できる。
【００９１】（１）先ず、高分子セパレータ１１を所定寸法に切断し、図示しない吸盤付１軸ロボットで固定吸盤ユニット８に搬送供給した。
（２）次いで、負極電極１２を、図示しない吸盤付１軸ロボットで１枚吸着し、電極位置合わせＸ−Ｙ−θテーブル７に供給した。
（３）電極位置合わせＸ−Ｙ−θテーブル７では、パルスモータ、サーボモータ等によりテーブルを駆動し、画像処理機能を有する電極位置合わせカメラ６で電極位置を確認しつつ、Ｘ−Ｙ−θ方向に電極位置の修正を行った。
（４）位置合わせが終了した負極電極１２を、テーブル７から吸着盤付１軸ロボットで固定吸盤ユニット８上にある高分子セパレータ１１の上に供給した。
（５）さらに、高分子セパレータ１１を吸盤付１軸ロボットで固定吸盤ユニット８の負極電極１２の上に供給した。これで、負極電極１２は、２枚のセパレータに挟み込まれることになる。」
　
「【図１】
　　　　　　　　　　　　　　　　　　　　　　　　　　　　　　　　　」
　
４．甲第４号証
　甲第４号証には、以下の事項が記載されている。
　
「【００５４】
　図５に示すように、ステップＳ１０１において、極箔１，３及びセパレータ２が積層ステージ１３上に２枚１組で一度に積み上げられると、ステップＳ１０２において、カメラ３３、３４による撮像が行われる。例えば、まず最初に積層ステージ１３上に積み上げられるのは負極箔１及びセパレータ２である。また、次に積み上げられるのは正極箔３及びセパレータ２である。
【００５５】
　ステップＳ１０２においては、このように積み上げられる度に、可視光照射手段３１より可視光が側方から照射された上で第１の検査対象たるセパレータ２が可視光用カメラ３３により撮像され、それとは別に赤外光照射手段３２より赤外光が上方から照射された上で第２の検査対象たる極箔１，３が赤外光用カメラ３４により撮像される。…」
　
「【００５６】
　続くステップＳ１０３では、可視光用カメラ３３により撮像された可視光画像に基づき、セパレータ２のエッジ（外周縁）が抽出される。また、ステップＳ１０４では、赤外光用カメラ３４により撮像された赤外光画像に基づき、最上層のセパレータ２の直下層の極箔１，３のエッジ（外周縁）が抽出される。
【００５７】
　続くステップＳ１０５では、各種距離等の演算が行われる。つまり、この度積み上げられた極箔１，３及びセパレータ２の基準位置に対する位置ズレ量が演算される。…」
　
「【００５８】
　さらに、ステップＳ１０６では、この度積み上げられた極箔１，３及びセパレータ２の基準位置に対する位置ズレ量が予め定められた許容位置ズレ量（事前に入力手段４５により入力設定される値）を超えているか否かが判定される。そして、この度積み上げられた極箔１，３及びセパレータ２の基準位置に対する位置ズレ量が許容位置ズレ量を超えている場合（「ＮＧ」の場合）には、ステップＳ１０７において、当該位置ズレの修正が行われる。…」
　
「【００５９】
　一方、ステップＳ１０６において、この度積み上げられた極箔１，３及びセパレータ２の基準位置に対する位置ズレ量が許容位置ズレ量を超えていない場合（「ＯＫ」の場合）には、ステップＳ１０８において、予め定められた数の積み上げが終了したか否かが判定される。そして、未だ積み上げが終了していない場合には、ステップＳ１０１に戻り、極箔１，３及びセパレータ２の積み上げが行われる。これに対し、積み上げが終了した場合には、検査処理が一旦終了させられる。」
　
「【００６６】
　（ａ）上記実施形態に加え、セパレータ２及び極箔１，３が２枚一組で一度に搬送されて積み上げられるに際し、前記搬送されている途中において、吸引されている前記セパレータ２に対する極箔１，３の相対位置情報を求め、当該相対位置情報に基づき積み上げ前における両者間の位置ズレを判定する事前検査手段６０を備えることとしてもよい（図１の２点鎖線参照）。…」
　
５．甲第５号証
　甲第５号証には、以下の事項が記載されている。
　
「【解決手段】　電池の極板を長方形の２つ折れシート状セパレータで挟み、両側部をギアシールで接合してなる袋状セパレータを光学的に撮影して画像処理し、該画像処理画面から袋状セパレータの４つの角部近傍にウインドウを設け、該ウインドウ内の画像により袋状セパレータの４つの角を捕捉検出し、該４つの検出した捕捉点間の距離を計測することで袋状セパレータの上下左右の距離（幅）を測定し、また、ギアシールの接合部の内側の捕捉点と角の捕捉点間の距離（接合部の幅）を測定し、各測定値の各々を予め記憶させてある規格値と対比して袋状セパレータの合否を判定することを特徴とする袋状セパレータの検査方法である。」（第１頁【要約】）
　
６．甲第６号証
　甲第６号証には、以下の事項が記載されている。
　
「【解決手段】　エッジ検出器５を、ニッケル電極材１のエッジ部に平行光を照射する光源５ａと、上記エッジ部を横切る方向に走査されて該ニッケル電極材により遮られなかった平行光を受光するイメージセンサ（ＣＣＤラインセンサ）５ｃとを用いて実現し、メッシュ状の繊維質からなるニッケル電極材が有する多数の微細孔１ａに影響されることなくそのエッジ位置を高精度に検出する。」（第１頁【要約】）
　
第５．本件発明の特許が特許法第２９条第２項の規定に違反してされたものであるか否かの判断 
１．本件発明１について
（１）対比
　本件発明１と甲１発明を対比する。
　
　甲１発明は、「ホルダー１１内に陰極板３を挿入し、…セパレータ１で包装され…た陽極板２を…ホルダー１１内に挿入し、…以上の動作を予め設定した回数繰り返し、陽極板２と陰極板３を交互に積み重ねた極板群４を構成する…蓄電池極板群の製造装置」であるから、「セパレータ１で包装された陽極板２と陰極板３とをホルダー１１内に挿入して陽極板２と陰極板３を交互に積み重ねた極板群４を構成する蓄電池極板群の製造装置」といえる。
　ここで、甲１発明の「セパレータ１で包装された陽極板２」、「陰極板３」、「ホルダー１１」、「積み重ねた極板群４を構成する蓄電池極板群の製造装置」は、それぞれ、本件発明１の「袋状に形成されたセパレータ内に第１電極が配置された袋詰電極」、「前記第１電極とは異なる極性の第２電極」、「積層ステージ」、「電極積層装置」に相当する。
　したがって、本件発明１と甲１発明は、「袋状に形成されたセパレータ内に第１電極が配置された袋詰電極と前記第１電極とは異なる極性の第２電極とを積層ステージ上で積層する電極積層装置」である点で一致する。
　
　また、甲１発明は、「ホルダー１１内に陰極板３を挿入し、その際、揺動装置１０に取り付けた他方の極板吸着装置９’は、セパレータ１で包装され第２のコンベア７’に設けた治具６’に収納された陽極板２を吸着し、取り出し、次いで、…陽極板２をホルダー１１内に挿入」するものであるから、「第２のコンベア７’に設けた治具６’から陽極板２を吸着し、取り出し、陰極板３が挿入されているホルダー１１内に挿入」する手段を有するといえる。
　ここで、甲１発明の「第２のコンベア７’に設けた治具６’」は、収納された陽極板２を吸着し、取り出す部分であるから、本件発明１の「電極供給テーブル」と、「電極供給部」といえる点で共通する。また、甲１発明の「吸着し、取り出（すこと）」、「陰極板３が挿入されているホルダー１１内に挿入（すること）」は、それぞれ、本件発明１の「ピックアップ（すること）」、「積層ステージに載置された第２電極に積層する（こと）」に相当する。
　したがって、本件発明１と甲１発明は、「電極供給部から前記袋詰電極をピックアップして、前記積層ステージに載置された第２電極に積層する積層手段」を有する点で共通する。
　
　以上をまとめると、本件発明１と甲１発明との一致点と相違点は次のとおりである。
　
《一致点》 
「袋状に形成されたセパレータ内に第１電極が配置された袋詰電極と前記第１電極とは異なる極性の第２電極とを積層ステージ上で積層する電極積層装置であって、
　電極供給部から前記袋詰電極をピックアップして、前記積層ステージに載置された第２電極に積層する積層手段、
　を有する電極積層装置。」である点。
　
《相違点》
相違点１
　「電極供給部」が、本件発明１では、「電極供給テーブル」であるのに対し、甲１発明では、「第２のコンベア７’に設けた治具６’」である点。
　
相違点２
　本件発明１は、
「電極供給テーブルに載置された前記袋詰電極の前記第１電極の位置を検出する検出手段と、
　検出した前記第１電極の位置に基づいて、前記電極供給テーブルに載置された前記袋詰電極がピックアップされる時点での前記第１電極の位置が所定の位置となるように前記電極供給テーブルの位置を調整して、前記セパレータの位置とは無関係に前記第１電極の位置を調整する位置調整手段と、」を有し、
　「積層手段」は、「前記位置調整手段によって位置が調整された前記電極供給テーブルから前記袋詰電極をピックアップして、前記積層ステージに載置された第２電極に積層する」のに対し、
　甲１発明は、
「電極供給テーブルに載置された前記袋詰電極の前記第１電極の位置を検出する検出手段と、
　検出した前記第１電極の位置に基づいて、前記電極供給テーブルに載置された前記袋詰電極がピックアップされる時点での前記第１電極の位置が所定の位置となるように前記電極供給テーブルの位置を調整して、前記セパレータの位置とは無関係に前記第１電極の位置を調整する位置調整手段」を有さず、
　「積層手段」は、「電極供給テーブルから前記袋詰電極をピックアップして、前記積層ステージに載置された第２電極に積層する」ものではあるものの、「前記位置調整手段によって位置が調整された前記電極供給テーブルから前記袋詰電極をピックアップして、前記積層ステージに載置された第２電極に積層する」ものではない点。
　
（２）判断
　上記相違点２について検討する。
　
　甲１発明は、「ホルダー内で陽極板と陰極板を交互に積み重ねて極板群を形成するため、極板群が整列したものとなる」（上記第４．１．（２））ものであり、治具６’に収納された陽極板２を吸着し、取り出し、９０°回転させた後の、ホルダー１１に挿入した時点で、ホルダーの作用により極板群の整列がなされるものである。
　したがって、甲１発明では、ホルダーに挿入される前の、セパレータ１で包装され治具６’に収納された陽極板２を吸着し、取り出す時点（本願発明でいう「前記電極供給テーブルに載置された前記袋詰電極がピックアップされる時点」）で陽極板の位置の調整をしなくても、極板群はホルダーにより整列したものとなるのであるから、甲１発明は、セパレータ１で包装され治具６’に収納された陽極板２の位置を検出し、検出した位置に基づいて該位置を調整する必要はないものである。
　よって、甲１発明において、上記相違点２に係る本件発明１の特定事項である「電極供給テーブルに載置された前記袋詰電極の前記第１電極の位置を検出する検出手段と、
　検出した前記第１電極の位置に基づいて、前記電極供給テーブルに載置された前記袋詰電極がピックアップされる時点での前記第１電極の位置が所定の位置となるように前記電極供給テーブルの位置を調整して、前記セパレータの位置とは無関係に前記第１電極の位置を調整する位置調整手段と」を採用する動機付けはない。
　また、甲第２〜６号証にも、甲１発明において、上記相違点２に係る本件発明１の特定事項を採用する動機付けとなる技術事項は記載されていない。
　
　また、甲第２号証に記載されているものは、積層電極体を作成するときに、正極板および負極板の貫通部の位置を画像処理装置により確認しながら位置合わせして積層するものであり、甲第３号証に記載されているものは、位置合わせが終了した負極電極を２枚のセパレータに挟み込んで袋状とするものであり、甲第４号証に記載されているものは、積み上げられた極板、セパレータの位置ずれを検出して修正するものであり、何れも、電極の位置を検出するものではあるが、本件発明１のような、電極供給テーブルに載置された袋詰電極の位置を検出し、電極供給テーブルからピックアップされる時点での袋詰電極の位置を調整するものではないから、たとえ、甲１発明に甲第２号証、甲第３号証又は甲第４号証に記載の技術を組み合わせたとしても、上記相違点２に係る本件発明１の発明特定事項には至らない。
　
　申立人は、積層前の電極の位置を検出する「検出手段」は、甲第２号証、甲第３号証、および甲第４号証に記載されているとおり周知であるから、甲１発明において、上記周知の技術を採用することは当業者が容易に想到し得る旨主張している。
　しかしながら、上述したとおり、甲１発明は、そもそも、治具６’（本件発明１でいう「電極供給テーブル」に対応する。）に収納された陽極板２の位置を検出し、検出した位置に基づいて該位置を調整する必要はないものである。
　したがって、たとえ、申立人の主張するような周知の技術が存在したとしても、電極供給テーブルに載置された電極の位置を調整する必要がない甲１発明における電極供給テーブルに載置された電極に、該周知の技術の位置検出を適用する動機付けはなく、甲１発明において、上記周知の技術を採用して、上記相違点２に係る本願発明１の構成とすることが当業者に容易に想到し得ることであるとはいえない。
　
　よって、本件発明１は、甲第１号証に記載された発明及び甲第２〜６号証に記載された技術に基づいて当業者が容易に発明をすることができたものであるということはできず、その特許は、特許法第２９条第２項の規定に違反してされたものであるということはできない。
　
２．本件発明２〜１９について
　本件発明１６は、“装置”の発明である本件発明１のカテゴリーを、“方法”の発明としたものであり、上記相違点２に係る本件発明１の特定事項と同様の「電極供給テーブルに載置された前記袋詰電極の前記第１電極の位置を検出する検出工程と、
　検出した前記第１電極の位置に基づいて、前記電極供給テーブルに載置された前記袋詰電極がピックアップされる時点での前記第１電極の位置が所定の位置となるように前記電極供給テーブルの位置を調整して、前記セパレータの位置とは無関係に前記第１電極の位置を調整する位置調整工程と」の特定事項を有しているから、本件発明１と同様の理由により、甲第１号証に記載された発明及び甲第２〜６号証に記載された技術に基づいて当業者が容易に発明をすることができたものであるということはできない。
　また、本件発明２〜１５は、いずれも、本件発明１を更に減縮したものであって、本件発明１の上記相違点２に係る発明特定事項を有しているから、本件発明１と同じ理由により、甲第１号証に記載された発明及び甲第２〜６号証に記載された技術に基づいて当業者が容易に発明をすることができたものであるということはできない。
　さらに、本件発明１７〜１９は、いずれも、本件発明１６を更に減縮したものであって、本件発明１６の上記特定事項を有しているから、本件発明１６と同じ理由により、甲第１号証に記載された発明及び甲第２〜６号証に記載された技術に基づいて当業者が容易に発明をすることができたものであるということはできない。
　したがって、本件発明２〜１９に係る特許は、特許法第２９条第２項の規定に違反してされたものであるということはできない。
　
第６．むすび 
　以上のとおり、本件発明１〜１９に係る特許は、特許法第２９条第２項の規定に違反してされたものであるということはできないから、特許異議申立ての理由及び証拠によっては、請求項１〜１９に係る特許を取り消すことはできない。 
　また、他に請求項１〜１９に係る特許を取り消すべき理由を発見しない。 
　よって、結論のとおり決定する。
【異議決定日】
平成２９年３月８日（２０１７．３．８）